(57)【要約】【課題】アナログ映像信号入力を持つ双方向ＴＶ会議装置において、コピー禁止である映像信号入力を簡単に相手側に送信できるという問題点を解決し、完全な著作権保護が可能なＴＶ会議装置を提供する。【解決手段】著作権情報検出手段２を設け、著作権保護された映像信号が入力された場合、著作権情報検出手段２において、著作権情報を検出し、コピー禁止と判定された場合、送受信手段４における送信を停止することで、コピー禁止のコンテンツが送信されることを防止し、完全な著作権保護が可能となる。【選択図】  図１
2004343515.tif 000002
【特許請求の範囲】
【請求項１】
入力映像信号を処理する入力信号処理手段と、前記入力映像信号から著作権情報を検出する著作権情報検出手段と、前記入力信号処理手段の出力する映像信号を圧縮符号化する圧縮符号化手段と、前記圧縮符号化手段の出力信号を送信し、かつ別地点から伝送される相手側の送信信号を受信する送受信手段と、前記送受信手段において受信された相手側の送信信号を圧縮復号化する圧縮復号化手段と、前記入力信号処理手段の出力と前記圧縮復号化手段の出力のうち一方を選択して出力端子に出力するための処理を行う出力信号処理手段を備えたＴＶ会議装置。
【請求項２】
著作権情報検出手段において入力映像信号が複製禁止であると判定した場合、送受信手段において送信を停止することを特徴とする請求項１記載のＴＶ会議装置。
【請求項３】
入力映像信号を処理する入力信号処理手段と、前記入力映像信号から著作権情報を検出する著作権情報検出手段と、前記入力信号処理手段の出力する映像信号を圧縮符号化する圧縮符号化手段と、前記著作権情報検出手段における著作権情報の検出結果により前記圧縮符号化手段の出力信号に著作権情報を多重化する著作権情報多重化手段と、前記著作権情報多重化手段の出力信号を送信し、かつ別地点から伝送される相手側の送信信号を受信する送受信手段と、
前記送受信手段において受信された相手側の送信信号から著作権情報を分離する著作権情報分離手段と、前記著作権情報分離手段の出力を圧縮復号化する圧縮復号化手段と、前記入力信号処理手段の出力と前記圧縮復号化手段の出力のうち一方を選択して出力端子に出力するための処理を行う出力信号処理手段を備えたＴＶ会議装置。
【請求項４】
著作権情報分離手段において分離された著作権情報にもとづいて出力信号処理手段において著作権情報を付加して出力することを特徴とする請求項３記載のＴＶ会議装置。
【請求項５】
著作権情報分離手段において分離された著作権情報にもとづいて出力信号処理手段において映像信号の出力を停止する、または映像信号を所定の静止画映像に変換して出力することを特徴とする請求項３記載のＴＶ会議装置。
【請求項６】
自画像を表示する場合、出力信号処理手段は、入力信号処理手段の出力を選択し、かつ著作権情報検出手段における著作権情報の検出結果にもとづいて映像信号に著作権情報を付加して出力することを特徴とする請求項１から請求項５に記載のＴＶ会議装置。
【請求項７】
自画像を表示する場合、出力信号処理手段は、入力信号処理手段の出力を選択し、かつ著作権情報検出手段における著作権情報の検出結果にもとづいて映像信号の出力を停止する、または映像信号を所定の静止画映像に変換して出力することを特徴とする請求項１から請求項５に記載のＴＶ会議装置。
【請求項８】
著作権情報を持つ映像信号を入力信号処理手段に入力可能であることを特徴とする請求項１から請求項７に記載のＴＶ会議装置。
【発明の詳細な説明】
【０００１】
【発明の属する技術分野】
本発明は、複数の地点間において双方向で映像と音声をやり取りするＴＶ会議装置に関するものである。
【０００２】
【従来の技術】
近年、２地点間あるいは２地点以上の複数地点間を接続して、双方向で映像と音声をやり取りするＴＶ会議装置が多数開発されている。近年における画像圧縮技術の進展と、伝送路の容量拡大により、従来得ることができなかった高品質の映像や音声をリアルタイムで送受信することが可能となってきた。例えば伝送ビットレートが数百Ｋｂｐｓ程度の伝送路を利用して画面サイズがＴＶ画面の１／４程度の画像を毎秒１０コマ以上伝送することが可能となっている。
【０００３】
従来のＴＶ会議装置において、自分の画像（以下自画像と称する）を撮影するためのカメラにはＵＳＢ  Ｉ／Ｆを持つ低価格なカメラ、いわゆるＵＳＢカメラが主として用いられてきたが、ＵＳＢカメラでは毎秒あたりに出力可能なコマ数が制限されるため、動きがなめらかな動画を伝送することは困難であり、より高画質で動きがなめらかな画像を伝送するために、最近ではＮＴＳＣ信号のようなアナログＴＶ信号を出力可能なビデオカメラをＴＶ会議に用いるようになってきている。
【０００４】
また、近年のディジタル技術の進展により、著作権保護技術が重要となってきている。特に近年のＤＶＤプレーヤーの急速な普及により、不正コピーを防止するための著作権保護技術が一般的となっており、大半のＤＶＤディスクには著作権保護技術が採用されている（例えば特許文献１参照）。
【０００５】
アナログ映像信号の不正コピーを防止するための著作権保護技術に関して代表的なものを説明する。ＮＴＳＣ方式のアナログ映像信号に重畳するものとしては大きく２種類があって、第一の方式はマクロビジョン信号である。マクロビジョン信号は、擬似同期信号を挿入するＡＧＣパルスと特定ラインのバースト信号の位相を中間点で反転させるカラーストライプから構成されている。また、第二の方式として映像信号の垂直ブランキング区間に挿入するＶＢ−ＩＤ（Ｖｅｒｔｉｃａｌ  Ｂｌａｎｋｉｎｇ  ＩＤ）信号によって著作権情報を伝送する方式がある。すなわち、ＮＴＳＣ信号において、垂直ブランキング期間中の第２０ラインに２０ビットの情報からなるＶＢ−ＩＤ信号を挿入し、ＶＢ−ＩＤ信号中のＣＧＭＳ−Ａ（Ｃｏｐｙ  Ｇｅｎｅｒａｔｉｏｎ  Ｍａｎａｇｅｍｅｎｔ  Ｓｙｓｔｅｍ−Ａｎａｌｏｇ）信号によって著作権の世代管理情報を表す。ＣＧＭＳ−Ａは２ビットで構成され、コピー禁止、１回コピー可能、コピー可能の３種類の情報を表すことができる。
【０００６】
従来の双方向ＴＶ会議装置の構成の一例を図４に示す。
【０００７】
図４において、カメラ（図示せず）により入力端子１０に自画像のアナログ映像信号が入力される。入力信号処理手段２０では、入力されたアナログ映像信号からの同期信号分離やアナログディジタル変換等が行われ、ディジタル映像信号１３が出力される。圧縮符号化手段２１においてはＭＰＥＧ４方式で圧縮符号化が行われ、送受信手段２２において圧縮符号化後の映像信号に、音声信号や伝送に必要な各種情報を多重化して送信信号を入出力端子１１に出力する。入出力端子１１は、外部の伝送路に接続され、ＴＶ会議の相手側の端末に送信信号を伝送する。
【０００８】
次に、ＴＶ会議の相手側が送信した相手側画像の送信信号は、入出力端子１１を経て送受信手段２２において受信され、圧縮復号化手段２３において、相手側が送信した映像信号を復号し、ディジタル映像信号１４を出力する。
【０００９】
出力信号処理手段２４においては、利用者の操作に従って、図面には明記していない制御手段によって、自画像であるディジタル映像信号１３と相手側画像であるディジタル映像信号１４のうち一方を選択して、ディジタルアナログ変換等の出力信号処理を行って、出力端子１２にアナログ映像信号を出力する。
【００１０】
【特許文献１】
特表平１１−５０７１６０号公報
【００１１】
【発明が解決しようとする課題】
しかしながら、上記の従来の方法では、入力端子１０にビデオカメラからの出力を接続するのではなく、ＤＶＤプレーヤーからの出力信号を接続した場合、再生するＤＶＤディスクがマクロビジョン信号等により著作権保護されていた場合でも、従来のＴＶ会議装置では全く著作権保護について考慮されていないため、コピー禁止であるコンテンツを遠隔地にあるＴＶ会議の相手側に容易に伝送することが可能であった。すなわち、従来のＴＶ会議装置を悪用すれば、コピー禁止であるコンテンツを遠隔地に送信し、遠隔地において出力端子に別の記録装置を接続して簡単にコピーすることが可能であった。
【００１２】
また、ＴＶ会議装置においては、利用者の操作によって自画像を表示するか、あるいは相手側の画像を表示するかを切り替えることができるが、自画像表示を選択した場合、上記従来のＴＶ会議装置においては、入力端子１０に入力された映像信号をアナログディジタル変換した後、再度ディジタルアナログ変換して、そのまま出力端子１２に出力しており、ほとんど画質劣化がない自画像を出力していた。上記構成の場合、入力端子１０にＤＶＤプレーヤーからの出力信号を接続し、かつ自画像側を選択して出力した場合、コピー禁止である映像信号を自動的にコピー可能な映像信号に変換して出力してしまうため、ＴＶ会議装置を悪用すれば、コピー禁止であるコンテンツを画質劣化すること無く簡単にコピーできるという大きな問題点があった。
【００１３】
本発明は上記従来の問題点を解決するもので、完全な著作権保護が可能なＴＶ会議装置を提供するものである。
【００１４】
【課題を解決するための手段】
上記目的を達成するために、本発明のＴＶ会議装置は、入力映像信号を処理する入力信号処理手段と、入力映像信号から著作権情報を検出する著作権情報検出手段と、前記入力信号処理手段の出力する映像信号を圧縮符号化する圧縮符号化手段と、前記圧縮符号化手段の出力信号を送信しかつ別地点から伝送される相手側の送信信号を受信する送受信手段と、前記送受信手段において受信された相手側の送信信号を圧縮復号化する圧縮復号化手段と、前記入力信号処理手段の出力と前記圧縮復号化手段の出力のうち一方を選択して出力端子に出力するための処理を行う出力信号処理手段を備えるものである。
【００１５】
また、本発明のＴＶ会議装置は、入力映像信号を処理する入力信号処理手段と、入力映像信号から著作権情報を検出する著作権情報検出手段と、前記入力信号処理手段の出力する映像信号を圧縮符号化する圧縮符号化手段と、前記著作権情報検出手段における著作権情報の検出結果により前記圧縮符号化手段の出力信号に著作権情報を多重化する著作権情報多重化手段と、前記著作権情報多重化手段の出力信号を送信し、かつ別地点から伝送される相手側の送信信号を受信する送受信手段と、前記送受信手段において受信された相手側の送信信号から著作権情報を分離する著作権情報分離手段と、前記著作権情報分離手段の出力を圧縮復号化する圧縮復号化手段と、前記入力信号処理手段の出力と前記圧縮復号化手段の出力のうち一方を選択して出力端子に出力するための処理を行う出力信号処理手段を備えるものである。
【００１６】
【発明の実施の形態】
以下、本発明の実施の形態について図１から図３を用いて説明する。
【００１７】
（実施の形態１）
図１は、本発明のＴＶ会議装置における第一の実施の形態の構成を示すブロック図である。本実施の形態においては２地点間以上の多地点間において双方向で映像と音声をやり取りするＴＶ会議装置の一例について図面を参照しながら詳しく説明する。
【００１８】
図１において、カメラ（図示せず）により入力端子１０に自画像のアナログ映像信号が入力される。入力信号処理手段１では、入力アナログ映像信号からの同期信号分離やアナログディジタル変換等が行われ、ディジタル映像信号３０が出力される。ディジタル映像信号３０は、ＣＣＩＲ６５６規格に準拠したディジタル映像信号である。著作権情報検出手段２においては、入力アナログ映像信号に重畳されたマクロビジョン信号やＣＧＭＳ−Ａ信号を検出し、著作権検出信号３１を出力する。
【００１９】
次に、圧縮符号化手段３においてはＭＰＥＧ４方式で圧縮符号化が行われ、符号化映像信号３２を出力する。送受信手段４において符号化映像信号３２に対して音声信号や伝送に必要な各種情報を多重化して送信信号を入出力端子１１に出力する。入出力端子１１は、外部の伝送路に接続され、ＴＶ会議の相手側の端末に送信信号を伝送する。
【００２０】
一方、ＴＶ会議の相手側が送信した相手側画像の送信信号は、入出力端子１１を経て送受信手段４において受信され、圧縮復号化手段５において、相手側が送信した符号化映像信号の復号を行い、ディジタル映像信号３３を出力する。出力信号処理手段６は、利用者の操作に従って図面には明記していない制御手段によって、自画像であるディジタル映像信号３０と相手側画像であるディジタル映像信号３３のうち一方を選択して、ディジタルアナログ変換等の出力信号処理を行って、出力端子１２にアナログ映像信号を出力する。
【００２１】
以下送受信手段４の動作について詳しく説明する。著作権情報検出手段２においてマクロビジョン信号、ＣＧＭＳ−Ａ信号等の著作権情報が検出された場合、例えば、著作権情報検出手段２において、入力アナログ映像信号にマクロビジョン信号のＡＧＣパルスが有り、またはＡＧＣパルスとカラーストライプが両方ありと判断された場合、入力映像信号はコピー禁止を示しているので、著作権情報検出手段２は、著作権検出信号３１をＨｉで出力する。送受信手段４において、入力される著作権検出信号３１がＨｉの場合、符号化映像信号３２や音声信号等の送信を停止する。
【００２２】
以上説明したように、万一入力端子１０にコピー禁止のＤＶＤディスクからの信号が入力された場合においても、著作権情報検出手段２において、著作権情報を検出し、コピー禁止と判定された場合、送受信手段４における送信を停止することで、コピー禁止のコンテンツが送信されることが防止され、完全な著作権保護が可能となる。
【００２３】
また、入力端子１０に入力される画像、すなわち自画像を表示する場合、出力信号処理手段６においてディジタル映像信号３０を選択して出力する。自画像を表示する場合でも、著作権情報検出手段２において著作権情報を検出し、コピー禁止と判定された場合に、出力信号処理手段６において、映像信号の出力を停止するか、あるいは全画面ブルー信号等の静止画信号に変換して出力する。あるいは、出力信号処理手段６において、著作権情報を付加して出力する。すなわち、入力アナログ映像信号からマクロビジョン信号が検出された場合、出力信号処理手段６においてマクロビジョン信号を付加して出力し、同様に、入力アナログ映像信号からＣＧＭＳ−Ａ信号が検出された場合、出力信号処理手段６において同一のＣＧＭＳ−Ａ信号を付加して出力する。
【００２４】
以上説明したように、利用者の操作にともなって、自画像を選択して出力した場合においても、万一入力端子１０にコピー禁止のＤＶＤディスクからの信号が入力された場合においても、著作権情報検出手段２において、著作権情報を検出し、コピー禁止と判定された場合、出力信号処理手段６において、映像信号の出力を停止する、または、静止画信号を出力する、または著作権情報を再度付加して出力するいずれかの方法により、コピー禁止のコンテンツがコピー可能状態で出力されることが防止され、完全な著作権保護が可能となる。
【００２５】
（実施の形態２）
図２は、本発明のＴＶ会議装置における第二の実施の形態の構成を示すブロック図である。
【００２６】
本実施の形態においては、前記第一の実施の形態のＴＶ会議装置に対して、著作権情報多重化手段７と著作権情報分離手段８を追加したものである。第一の実施の形態との共通部分については説明を簡略化する。
【００２７】
本実施の形態において、著作権情報検出手段９においてマクロビジョン信号、ＣＧＭＳ−Ａ信号等の著作権情報を検出し、それらの状態を著作権情報信号３４として出力する。著作権情報信号３４は４ビットのデーターで構成されており詳細を図３に示す。図３に示すように、マクロビジョン信号の検出結果は、ＡＰＳＴｒｉｇｇｅｒ  Ｂｉｔ（以下ＡＰＳと称する）の２ビットデータで出力され、それぞれの意味は、
ＡＰＳ＝００  ：  マクロビジョン  オフ
ＡＰＳ＝０１  ：  マクロビジョン  ＴＹＰＥ１
ＡＰＳ＝１０  ：  マクロビジョン  ＴＹＰＥ２
ＡＰＳ＝１１  ：  マクロビジョン  ＴＹＰＥ３
となる。また、ＣＧＭＳ  ＤＡＴＡ（以下ＣＧＭＳと称する）は２ビットで出力され、
ＣＧＭＳ＝００  ：  コピー可能
ＣＧＭＳ＝１０  ：  コピー１回のみ可能
ＣＧＭＳ＝１１  ：  コピー禁止
を表す。著作権情報多重化手段７においては、著作権情報信号３４の４ビットを符号化映像信号３２に多重化して、送受信手段４から送信する。
【００２８】
一方、ＴＶ会議の相手側が送信した送信信号は、送受信手段４において受信され、著作権情報分離手段８において多重化されている著作権情報信号を分離して出力する。出力信号処理手段６は、利用者の操作に従って図面には明記していない制御手段によって、自画像であるディジタル映像信号３０と相手側画像であるディジタル映像信号３３のうち一方を選択して、ディジタルアナログ変換等の出力信号処理を行って、出力端子１２にアナログ映像信号を出力する。
【００２９】
また、著作権情報分離手段８で分離された著作権情報信号３５により、出力アナログ信号に著作権情報を付加して出力する。すなわち、マクロビジョン信号については、著作権情報分離手段８で分離したＡＰＳで示される形式にエンコードを行って出力する。同様に、ＣＧＭＳ−Ａ信号についても著作権情報分離手段８で分離したＣＧＭＳで示す信号を付加して出力する。
【００３０】
あるいは、より簡易的にＡＰＳあるいはＣＧＭＳの両方もしくは、一方でもコピー禁止を示している場合は、出力信号処理手段６における映像信号出力を停止するか、もしくは全画面ブルー等の静止画信号を出力する。
【００３１】
以上説明したように、万一入力端子１０にコピー禁止のＤＶＤディスクからの信号が入力された場合においても、著作権情報検出手段９において著作権情報を検出し、著作権情報を多重化して伝送することで、受け側の相手側端末において完全な著作権保護が可能となる。
【００３２】
また、入力端子１０に入力される画像、すなわち自画像を表示する場合、出力信号処理手段６においてディジタル映像信号３０を選択して出力するが、自画像を表示する場合でも、著作権情報検出手段９において、著作権情報を検出し、コピー禁止と判定された場合、出力信号処理手段６において、映像信号の出力を停止するか、あるいは全画面ブルー信号等の静止画信号に変換して出力する。あるいは、出力信号処理手段６において、著作権情報を再度付加して出力する。すなわち、入力アナログ映像信号からマクロビジョン信号が検出された場合、出力信号処理手段６においてマクロビジョン信号を付加して出力し、同様に、入力アナログ映像信号からＣＧＭＳ−Ａ信号が検出された場合、出力信号処理手段６において同一のＣＧＭＳ−Ａ信号を付加して出力する。
【００３３】
以上説明したように、利用者の操作にともなって、自画像を選択して出力した場合においても、万一入力端子１０にコピー禁止のＤＶＤディスクからの信号が入力された場合においても、著作権情報検出手段９において、著作権情報を検出し、コピー禁止と判定された場合、出力信号処理手段６において、映像信号の出力を停止する、または、静止画信号を出力する、または著作権情報を再度付加して出力するいずれかの方法により、コピー禁止のコンテンツがコピー可能状態で出力されることが防止され、完全な著作権保護が可能となる。
【００３４】
以上のように、本発明によれば、著作権情報の検出手段を新たに設けることで、簡単な構成で完全な著作権保護が可能となるＴＶ会議装置を実現することが可能となった。
【００３５】
なお、入力端子にはアナログ映像信号が入力されるとしたが、アナログ信号に限定するものではなく、ディジタル信号であってもよい。ディジタル信号が入力された場合においても、入力処理手段の動作を変えることで、以降全く同様な構成を用いて同様な効果を得ることができる。
【００３６】
また、入力信号がＤＶフォーマットの信号であってＩＥＥＥ１３９４  Ｉ／Ｆで入力される場合のように、すでに圧縮符号化された信号であってもよく、その場合は圧縮符号化手段を設ける必要がない。
【００３７】
また、圧縮符号化手段における圧縮符号化方法はＭＰＥＧ４方式であるとしたが、これに限定するものではなく、Ｈ２６１、Ｈ２６３等の他の符号化方式であってもよい。
【００３８】
また、著作権情報はマクロビジョン信号とＣＧＭＳ−Ａ信号について記載したが、これらに限定するものではなく、ほかにもＷＳＳ（Ｗｉｄｅ  Ｓｃｒｅｅｎ  Ｓｉｇｎａｌｌｉｎｇ）信号、  Ｃｌｏｓｅｄ−Ｃａｐｔｉｏｎ信号等であってもよい。また、入力映像信号はＮＴＳＣ信号であるとしたが、ＮＴＳＣ信号に限定するものではなく、ＰＡＬ信号やＳＥＣＡＭ信号であってもよい。
【００３９】
また、本実施の形態においては、ＴＶ会議装置について説明したが、ＴＶ会議装置に限定するものではない。
【００４０】
【発明の効果】
本発明により、完全な著作権保護が可能なＴＶ会議装置を簡単な構成で実現することが可能となった。すなわち、本発明により、ＴＶ会議装置に、著作権保護されたコンテンツが入力された場合でも、完全な著作権保護が可能なＴＶ会議装置を提供することが可能となった。
【００４１】
以上のように、本発明の効果は大きい。
【図面の簡単な説明】
【図１】本発明のＴＶ会議装置の第一の実施の形態の構成を示すブロック図
【図２】本発明のＴＶ会議装置の第二の実施の形態の構成を示すブロック図
【図３】本発明のＴＶ会議装置の第二の実施の形態における著作権情報信号を説明する図
【図４】従来のＴＶ会議装置の構成を示すブロック図
【符号の説明】
１  入力信号処理手段
２  著作権情報検出手段
３  圧縮符号化手段
４  送受信手段
５  圧縮復号化手段
６  出力信号処理手段
７  著作権情報多重化手段
８  著作権情報分離手段
９  著作権情報検出手段
１０  入力端子
１１  入出力端子
１２  出力端子
３０  ディジタル映像信号
３１  著作権検出信号
３２  符号化映像信号
３３  ディジタル映像信号
３４、３５  著作権情報信号
【図１】
2004343515.tif 000003
【図２】
2004343515.tif 000004
【図３】
2004343515.tif 000005
【図４】
2004343515.tif 000006